(57)【要約】【課題】水道メータボックス内などのような狭い空間内であっても、簡単にケース本体を装着することができるような磁気活水器を提供することを目的とするものである。【解決手段】水道管５の外周部に取り付けられる分離した一対のケース本体２と、水道管５に接する側に永久磁石３３を設けた磁石収納体３とを具備し、このケース本体２を水道管５の長手軸方向にスライドさせることによって前記分離されたケース本体２それぞれを係止させるL字状突起２３およびL字状凹部２４を設ける。そして、このような磁気活水器１を水道メータボックス６内の水道管５に取り付ける場合、水道管５と水道メータボックス６の隙間に分離されたケース本体２を入れ込み、これらのケース本体２を対向した状態に配置する。そして、L字状突起２３をL字状凹部２４の挿入部２４ｂに挿入し、水道管５の軸方向にケース本体２をスライドさせて係合する。【選択図】図１
2005052764.tif 000002
【特許請求の範囲】
【請求項１】
水道管の外周部に取り付けられる分離したケース本体と、このケース本体内に保持され、水道管に接する側に永久磁石を設けた磁石収納体を具備してなる磁気活水器において、
ケース本体を水道管の軸方向にスライドさせることによって前記分離されたケース本体それぞれを係止させる係止部を設けたことを特徴とする磁気活水器。
【請求項２】
前記永久磁石が、水道管内にゼロ磁場を発生させるように磁極を配置したものである請求項１に記載の磁気活水器。
【請求項３】
前記磁石収納体が、水道管の表面から退避する方向へ進退可能にケース本体へ保持されるものである請求項１に記載の磁気活水器。
【請求項４】
前記磁石収納体における水道管の接触面に、水への感謝を表す標記を設けた請求項１に記載の磁気活水器。
【請求項５】
前記磁石収納体とケース本体との間に屈曲させた板バネを設け、この板バネの弾性力により、磁石収納体を水道管の表面から退避する方向へ進退可能に保持させた請求項１に記載の磁気活水器。
【請求項６】
前記係合部が、ケース本体の接合側へ突出したＬ字状突起と、これに対応したＬ字状凹部を設けて構成され、当該Ｌ字状突起またはＬ字状凹部におけるスライド方向の端部をテーパー状に構成した請求項１に記載の磁気活水器。
【発明の詳細な説明】
【技術分野】
【０００１】
本発明は、水道管内にゼロ磁場を発生させ、その水道管内を流れる水を活性化させる装置に関し、より詳しくは、水道メータボックスなどのような狭い空間内に設けられた水道管に対しても好適に取り付けられるようにした磁気活水器に関するものである。
【背景技術】
【０００２】
従来より、水道管内の水に磁力を作用させてその水を活性化させるようにした磁気活水器が種々提案されている。
【０００３】
例えば、図６に示すように、水道管５の外周部分に着脱可能に取り付けられる一対のケース本体９０と、内部に図示しない永久磁石を設けた磁石収納体９０ａと、このケース本体９０を回動可能に支持するヒンジ部材９１とを設け、このケース本体９０を水道管５に取り付ける際、ヒンジ部材９１を中心としてケース本体９０を開放し、水道管５に挟み込めるようにしたものが特許文献１などに示されている。なお、図６において、６は水道メータボックスを示し、５０は水道メータを示す。
【０００４】
また、別の従来例としては、図７に示すように、水道管５の外周部分に着脱可能に取り付けられる分離したケース本体９２と、このケース本体９２の内側に保持される永久磁石９３とを設け、この分離されたケース本体９２のそれぞれをネジ止めすることによって水道管５の外周部分に永久磁石９３を配置するようにしたものが特許文献２などに開示されている。
【特許文献１】特開平１０―１８０２６２号公報
【特許文献２】特開平１０―１１８６５８号公報
【発明の開示】
【発明が解決しようとする課題】
【０００５】
ところで、このような磁気活水器は、一般に、水道メータボックス内の水道管などに取り付けられることが多い。
【０００６】
しかしながら、このように特許文献１や特許文献２などに記載されているような構造の磁気活水器では、ケース本体を水道管に取り付ける際、次のような問題を生じる。
【０００７】
すなわち、通常、水道メータボックスの内側空間の寸法は、長手方向約４５ｃｍ、短手方向約２５ｃｍ、上下方向約１５ｃｍ程度に構成され、しかも、その内部空間に外径約１．３ｃｍ〜１１ｃｍの水道管や水道メータなどを設けている。このため、水道メータボックス内に余剰空間がほとんど存在せず、特許文献１に記載されているようなヒンジ部材を有するケース本体を取り付けようとすると、開放したケース本体が水道メータボックスの内壁に当接してしまい、取り付け作業に支障をきたしてしまうことがある。また、特許文献２に記載されているような分離されたケース本体をネジ止めする構成では、水道管の下側に設けられた狭い隙間に一方のケース本体を潜り込ませて水道管に密着させるように保持し、この状態で上側のケース本体を対向させてドライバーなどでネジ締め付け作業をしなければならない。このため、特許文献１や特許文献２に記載される構造のものでは、水道メータボックス内などのような狭い空間内にケース本体を取り付けることが非常に面倒であり、時間がかかるという問題を有していた。
【０００８】
そこで、本発明はかかる課題に着目してなされたもので、水道メータボックス内などのような狭い空間内であっても、簡単にケース本体を取り付けることができるような磁気活水器を提供することを目的とするものである。
【課題を解決するための手段】
【０００９】
すなわち、本発明は上記課題を解決するために、  水道管の外周部に取り付けられる分離したケース本体と、このケース本体内に保持され、水道管に接する側に永久磁石を設けた磁石収納体を具備してなる磁気活水器において、ケース本体を水道管の軸方向にスライドさせることによって前記分離されたケース本体それぞれを係止させる係止部を設けるようにする。
【００１０】
このように構成すれば、水道メータボックス内に設けられた水道管にケース本体を取り付ける際、従来のようにヒンジ部材を介して開放させたケース本体を取り付けたり、分離されたケース本体を保持したままネジ止めしたりする必要がなく、狭い取り付け空間内においても簡単にケース本体を接合させることができるようになる。
【００１１】
また、このように磁石収納体に永久磁石を設ける場合、水道管内にゼロ磁場を発生させるように磁極を配置する。
【００１２】
このように構成すれば、水道管内に磁力線を直線的に通す場合に比べて格段に水道管内の水を活性化させることができるようになる。
【００１３】
さらに、前記磁石収納体を、水道管の表面から退避する方向へ進退できるようにケース本体内へ保持する。
【００１４】
このように構成すれば、水道管の外径寸法が異なる場合であっても、その外形寸法に合わせて磁石収納体を進退させることによってケース本体を取り付けることができ、磁気活水器の汎用性を高めることができるようになる。
【００１５】
加えて、この磁石収納体における水道管の接触面に、水への感謝を表す標記を設けるように構成する。
【００１６】
このように構成すれば、磁力によって水を活性化させるだけでなく、その標記によって綺麗な結晶を生成しうる水にすることができるようになる。
【００１７】
また、磁石収納体とケース本体との間に屈曲させた板バネを設け、この板バネの弾性力によって磁石収納体を水道管の表面から退避させるようにする。
【００１８】
このように構成すれば、磁石収納体を退避させる場合、その板バネを扁平状に撓ませることができるので、磁石収納体の退避量を大きくすることができるようになる。すなわち、スプリング押しバネなどによって磁石収納体を押圧させることも考えられるが、このようにした場合、そのスプリングの最大圧縮長さまでしか磁石収納体を退避させることができない。これに対して、板バネで磁石収納体を押圧するようにすれば、板バネの厚み相当分まで磁石収納体を退避させることができ、その退避量を大きくすることができるようになる。
【００１９】
また、前記係合部を、ケース本体の接合側へ突出したＬ字状突起と、これに対応したＬ字状凹部によって構成し、このＬ字状突起またはＬ字状凹部におけるスライド方向の端部をテーパー状に構成する。
【００２０】
このように構成すれば、例えば、長年の使用によって水道メータボックス内に土砂などが堆積し、Ｌ字状凹部に土砂が付着したとしても、そのＬ字状突起をスライドさせることによってその土砂をテーパー面から掃き出すことができ、容易にケース本体を簡単に取り外すことができるようになる。
【発明の効果】
【００２１】
本発明によれば、水道管の外周部に取り付けられる分離したケース本体と、このケース本体内に保持され、水道管に接する側に永久磁石を設けた磁石収納体を具備してなる磁気活水器において、ケース本体を水道管の軸方向にスライドさせることによって前記分離されたケース本体それぞれを係止させる係止部を設けるように構成したので、狭い取り付け空間内においても簡単にケース本体を接合することができるようになる。
【発明を実施するための最良の形態】
【００２２】
以下、本発明の一実施の形態について図面を参照しながら説明する。図１は、本実施形態における磁気活水器１の外観斜視図であり、図２は図１における磁気活水器１を水道管５に取り付けた状態におけるＡ−Ａ断面図を示したものである。また、図３はケース本体２の上面部２０ｕに設けられた係合部２２の拡大平面図を示したものであり、図４はこの磁気活水器１を水道メータボックス６内の水道管５に取り付ける状態を示したものである。
【００２３】
この実施の形態における磁気活水器１は、分離して設けられた一対のケース本体２と、このケース本体２内にスライド可能に保持され、図２に示すように、水道管５に接する側に複数の永久磁石３３を設けた一対の磁石収納体３とを具備し、このケース本体２を水道管５に取り付ける際、水道管５の長手軸方向にそれぞれのケース本体２をスライドさせて係合させる係合部２２を設けるように構成したもので、水道管５の周りに設けられた永久磁石３３によって水道管５内にゼロ磁場を発生させ、その内部を流れる水を活性化させるようにしたものである。以下、本実施の形態の詳細について説明する。
【００２４】
磁気活水器１を構成するケース本体２は、ほぼ左右対称に構成されるもので、水道管５の軸を中心とした円弧状の側面部２０ｓと、水道管５の長手軸方向に対して垂直に設けられた前面部２０ｆおよび後面部２０ｂとを設けてなり、この前面部２０ｆおよび後面部２０ｂに水道管５の外径よりも大きな半円形の切り欠き部２１を設ける。そして、この半円形状の切り欠き部２１をそれぞれ対向させることによって、その内側に形成された円形部分に水道管５を挟み込めるようにする。また、このケース本体２の上面部２０ｕおよび下面部２０ｄには、本発明の係合部を構成するＬ字状突起２３およびＬ字状凹部２４を設け、さらに、これらＬ字状突起２３とＬ字状凹部２４の係合をガイドするためのガイドプレート２５ａ、２５ｂを設ける。
【００２５】
このＬ字状突起２３およびＬ字状凹部２４は、図３に示すように、ケース本体２の上面部２０ｕおよび下面部２０ｄに表出するように設けられるもので、上面部２０ｕ、下面部２０ｄと一体となって薄板状に設けられる。そして、まずＬ字状凹部２４に設けられたＬ字状突起２３を挿入するための挿入部２４ｂへ向けてＬ字状突起２３を嵌め込み、この状態からケース本体２を水道管５の長手軸方向にスライドさせることによってケース本体２を係合させる。また、逆に、これらのケース本体２の係合状態を解除する場合は、その係合時の向きと反対向きにスライドさせ、それぞれのケース本体２を分離する。ところで、このようにケース本体２の係合状態を解除する際、長年の使用によって水道メータボックス６内に土砂が堆積し、これによって、ケース本体２のＬ字状凹部２４にそれらの土砂が付着してしまう場合がある。そして、このように一旦、Ｌ字状凹部２４に土砂が入り込むと、ケース本体２を分離しようとしても、Ｌ字状突起２３をスライドさせることができず、それぞれのケース本体２を分離できなくなってしまう。このため、本実施の形態では、Ｌ字状凹部２４におけるスライド方向の分離側の端部に、テーパー面２４ａを設け、ケース本体２をスライドさせることによって、Ｌ字状突起２３によって土砂を掃き出させるようにしている。
【００２６】
ガイドプレート２５ａ、２５ｂは、Ｌ字状突起２３とＬ字状凹部２４の係合をガイドする。すなわち、これらのガイドプレート２５ａ、２５ｂによって、ケース本体２をそれぞれ係合させる際、Ｌ字状突起２３側に設けられたガイドプレート２５ａの上面とＬ字状凹部２４の下面とを当接させて係合状態をガイドする。また、下方のＬ字状凹部２４に設けられたガイドプレート２５ｂ（図２参照）の下面とＬ字状突起２３の上面とを当接させて係合状態をガイドする。
【００２７】
また、上側のガイドプレート２５ａには、その側方をケース本体２から突出させた突出片２６ａを設ける。これに対応して、この突出片２６ａに対向するＬ字状凹部２４が存在する上面部２０ｕにもケース本体２から突出させた突出片２６ｂを設け、これら突出片２６a、２６ｂの先端部にネジ孔２７ａ、２７ｂを設ける。そして、ケース本体２を接合させた状態でこれらのネジ孔２７ａ、２７ｂの位置を一致させ、このネジ孔２７ａ、２７ｂに図示しないネジを取り付けることによって係合状態を固定する。また、このネジ孔２７ａ、２７ｂにネジを取り付ける場合の他、図示しない盗難防止用の鍵を取り付けることによって盗難なども防止できるようにする。
【００２８】
一方、このケース本体２の内部には、同一形状に構成された磁石収納体３が保持される。この磁石収納体３は、水道管５に接する側にＶ字状に屈曲したＶ字状端面３０を設け、水道管５に接する側の面に水への感謝を表す標記を有するシール体３０ａなどを貼り付ける。そして、そのシール体３０ａにより、綺麗な結晶を生成しうる水に変化させる。なお、この綺麗な言葉を与えることにより水の結晶を変化させる効果に関しては、江本勝著「水は答えをしっている」（サンマーク出版）などに掲載されている。
【００２９】
また、そのＶ字状端面３０の内側には、図２に示すような複数の永久磁石３３を設ける。この永久磁石３３は、水道管５内にゼロ磁場を発生させるように磁極を配置して設けられ、具体的には、隣接する永久磁石３３の磁極がＮ極とＳ極と交互になるように設けられ、また、奥行方向にも直列に設けられる。なお、この永久磁石は、水をより効率よく活性化させるために磁力の強いものが用いられ、例えば、４５００ガウスの磁力を有するネオジウム磁石などが用いられるが、これよりも磁力の強いものが存在する場合は、そのような磁石を用いるようにしても良い。
【００３０】
また、この磁石収納体３は、水道管５の外径寸法に合わせて退避できるようにケース本体２に対して進退可能に保持される。具体的には、ケース本体２の前面２０ｆおよび後面２０ｂの内側に図示しない突出したピンを設け、また、このピンに係合しうるスライド溝３２を磁石保持体３の側面に設ける。そして、ケース本体２と磁石収納体３の奥側に設けられた板バネ４によってその磁石収納体３を水道管５側に押圧できるようにする。そして、このように板バネ４を用いることによって、磁石収納体３を押し込む際における退避量を大きく確保できるようにする。
【００３１】
次に、このように構成された磁気活水器１を水道メータボックス６内の水道管５に取り付ける方法について図４を用いて説明する。
【００３２】
まず、水道メータボックス６内の水道管５にこの磁気活水器１を取り付ける場合、図４（ａ）に示すようにケース本体２を分離した状態で、突出片２６ａ、２６ｂを上側にして、それぞれのケース本体２を水道管５と水道メータボックス６との間に入れ込む。この際、水道管５の外径寸法が大きくて水道メータボックス６との隙間が小さくなっている場合は、磁石収納体３のＶ字状端面３０を水道管５の表面に押圧させながらケース本体２を回転させ、その隙間に入れ込むようにする。この場合、ケース本体２に円弧状側面部２０ｓを有しており、しかも、磁石収納体３が進退可能に構成されているため、水道メータボックス６の内壁に当接させることなく容易にケース本体２の入れ込み作業を行うことができるようになる。
【００３３】
そして、このようにして隙間に入れ込まれたケース本体２を係合する場合、まず、それぞれのケース本体２を対向させた状態に配置し（図４（ｂ））、Ｌ字状突起２３をＬ字状凹部２４の挿入部２４ｂに挿入する。そして、この状態で、水道管５の軸方向にケース本体２をスライドさせることによってＬ字状突起２３とＬ字状凹部２４を係合させ、ケース本体２それぞれを接合する。なお、水道管５の外周部分にコンクリートなどが付着して凹凸が存在し、ケース本体２を水道管５の軸方向にスライドさせることができない場合は、磁石保持体３を手で押し込み、その凹凸部分を避けてそれぞれのケース本体２を係合させた後、その磁石保持体３を離して水道管５の外周部分に接触させる。そして、このようにケース本体２を接合した後、ケース本体２の突出片２６ａ、２６ｂに設けられたネジ孔２７ａ、２７ｂにネジを取り付け、もしくは、ネジ孔２７ａ、２７ｂに鍵を取り付けて盗難の防止を図れるようにする。
【００３４】
一方、このようにして取り付けられた磁気活水器１を交換などによって取り外す際は、前述の工程と逆の工程でケース本体２の取り外し作業を行う。すなわち、まず、ネジ孔２７ａ、２７ｂに取り付けられたネジや鍵など取り外し、ケース本体２をそれぞれ分離できるように水道管５の長手軸方向にスライドさせる。なお、長年の使用によってＬ字状凹部２４に土砂などが付着してしまっている場合があるが、その土砂はＬ字状突起２３によってＬ字状凹部２４の挿入部２４ｂ側まで掃き出され、そこからＬ字状凹部２４のテーパー面２４ａに沿って外側に掃き出される。そして、このようにして土砂を掃き出した状態で挿入部２４ｂに位置するＬ字状突起２３を取り出し、再びそれぞれのケース本体２を分離して水道メータボックス６から取り出す。
【００３５】
このように上記実施の形態によれば、水道管５の外周部に取り付けられる分離した一対のケース本体２と、水道管５に接する側に永久磁石３３を設けた磁石収納体３を備え、このケース本体２を水道管５の軸方向にスライドさせることによって前記分離されたケース本体２それぞれを係止させる係止部２２を設けるように構成したので、狭いスペース内においても極めて簡単にケース本体２を接合することができるようになる。
【００３６】
また、上記実施の形態では、永久磁石３３の磁極を交互に変えるなどして水道管５内にゼロ磁場を発生させるようにしたので、磁力線を水道管５内に直線的に通すようにする場合に比べてより水をより活性化させることができるようになる。
【００３７】
さらに、上記実施の形態では、磁石収納体３を水道管５の外径寸法に対応して進退できるように構成したので、外径寸法の異なる水道管５に対しても、この磁気活水器１を汎用的に使用することができるようになる。また、水道管５と水道メータボックス６との隙間にケース本体２を入れ込む際、水道管５と水道メータボックス６との隙間が狭い場合であっても、その磁石収納体３を水道管５に接触させて押し込みながらケース本体２の入れ込むことができるようになる。さらに、ケース本体２をスライドさせて係合させる場合、水道管５にコンクリートなどの凹凸が存在していても、その凹凸を避けるように手で磁石収納体３を押し込んでケース本体２を係合させることができるようになる。
【００３８】
加えて、上記実施の形態では、磁石収納体３のＶ字状端面３０に、水への感謝を表す標記を有するシール体３０ａを貼り付けるようにしたので、ゼロ磁場によって水を活性化させるだけでなく、美しい結晶を形成しうる水にすることができるようになる。
【００３９】
また、上記実施の形態では、板バネ４を用いて磁石収納体３を退避させるように構成したので、例えば、スプリング押しバネなどを用いた場合と比較して、磁石収納体３の退避量を極めて大きくすることができるようになる。
【００４０】
また、上記実施の形態では、Ｌ字状凹部２４の分離側の端部にテーパー面２５ａを設けるように構成したので、Ｌ字状凹部２４に土砂が付着している場合であっても、Ｌ字状突起２３をスライドさせることによって、その土砂を外部に掃き出すことができるようになる。
【００４１】
なお、本発明は上記実施の形態に限定されることなく種々の態様で実施することができる。
【００４２】
例えば、上記実施の形態では、Ｌ字状突起２３およびＬ字状凹部２４をケース本体２に表出させるように設けたが、これに限らず、外部から視認できないケース本体２の内側位置にＬ字状突起やＬ字状凹部を設けるようにしても良い。この場合、土砂などがその係合部に入り込まないような構造するのが好ましい。また、そのＬ字状突起２３やＬ字状凹部２４の位置についても、ケース本体２の中央部分ではなく、ケース本体２の前面部２０ｆや後面部２０ｂの近傍に設けるようにしても良い。
【００４３】
また、係合部２２の構成については、上記実施の形態のようなＬ字状突起２３やＬ字状凹部２４などの構造に限らず、ケース本体２を水道管５の長手軸方向へスライドさせることによって係合させるようなものであれば、どのような構造のものであっても良い。
【００４４】
さらに、上記実施の形態では、テーパー面２４ａをＬ字状凹部２４におけるスライド方向の分離側の端部にのみ設けるようにしているが、これに限らず、係合時における土砂の掃き出しも可能にすべく、図５に示すように、接合時にＬ字状突起２３と接触する側にもテーパー面２４０ａを設けるようにしても良く、また、このようにＬ字状凹部２４だけに限らず、Ｌ字状突起２３側にもテーパー面２３０を設けることもできる。
【図面の簡単な説明】
【００４５】
【図１】本発明の一実施の形態における磁気活水器の外観斜視図
【図２】図１におけるＡ−Ａ断面図
【図３】同形態における係合部の拡大平面図
【図４】同形態における取り付け状態を示す図
【図５】第二の実施形態における係合部を示す図
【図６】従来例を示す図
【図７】従来例を示す図
【符号の説明】
【００４６】
１・・・磁気活水器
２・・・ケース本体
３・・・磁石収納体
４・・・板バネ
５・・・水道管
６・・・水道メータボックス
２２・・・係合部
２３・・・Ｌ字状突起
２４・・・Ｌ字状凹部
２４ａ、２４０ａ、２３０・・・テーパー面
３０ａ・・・シール体
３３・・磁石
【図１】
2005052764.tif 000003
【図２】
2005052764.tif 000004
【図３】
2005052764.tif 000005
【図４】
2005052764.tif 000006
【図５】
2005052764.tif 000007
【図６】
2005052764.tif 000008
【図７】
2005052764.tif 000009